(57)【特許請求の範囲】
【請求項１】
複数の下側横架材を互いに間隔を開けて備える工程と、前記複数の下側横架材の間に互いに対向するように備えて前記柱を前記下側横架材に固定する工程と、前記複数の柱の上端部の間に上側横架材を備えて固定する工程とを有する建造物の躯体の組み立て方法において、
前記柱の上端部途中で、且つ柱どうしの間に介装部材を互いに対向するように備えて仮固定して、前記互いに対向する介装部材に載置用材を渡設し、前記載置用材に前記複数の上側横架材を載置して、上側横架材の柱に対する固定作業を行い、前記固定作業終了後に前記載置用材を側方へ引き抜いて除去することを特徴とする建造物の躯体の組み立て方法。
【請求項２】
請求項１に記載した建造物の躯体の組み立て方法において、載置用材を除去した後に、介装部材の仮固定を解除して上方へスライドさせ、前記介装部材の上端面を前記上側横架材に当接させて、その状態で介装部材を柱に固定することを特徴とする建造物の躯体の組み立て方法。
【請求項３】
請求項１または２に記載した建造物の躯体の組み立て方法によって製作されたことを特徴とする建造物の躯体。
【発明の詳細な説明】
【技術分野】
【０００１】
本発明は建造物の躯体の組み立て方法、建造物の躯体に係り、特に角材を組み合わせて成る建造物の躯体の組み立て方法、建造物の躯体に関するものである。
【背景技術】
【０００２】
特許文献１に記載された躯体構造は長寸法を除き同じ寸法の角材を組み合わせて構成されたものであり、等間隔を開けて複数の柱を立設し、この柱どうしの間には短寸法の介装部材が介装されている。そして、介装部材に支持させるようにして水平方向へ上側横架材を配置して柱に固定している。すなわち、柱どうしの隙間に上側横架材が備えられ、上側横架材が介装部材に支持された状態となっている。
特許文献１の出願人によって新規な建造物の躯体が開発され、この躯体は材料の削減を図るため介装部材を一つ置きに備えたものである。
【先行技術文献】
【特許文献】
【０００３】
【特許文献１】特開２００４−３４６５７９号公報
【発明の概要】
【発明が解決しようとする課題】
【０００４】
しかしながら、介装部材を一つ置きに備えた建造物の躯体は上記従来の躯体と異なり、介装部材を備えていない箇所において上側横架材を支持する部材が存在しないことになる。このため、組み立ての際に上側横架材を手で持ったり、仮の支持柱を立てて、この支持柱に上側横架材を支持したりすることが必要となる。従って、介装部材を一つ置きに備えた建造物の躯体は組み立て作業に手間がかかり作業効率が悪くなってしまうという問題がある。
本発明は上記従来の問題点に着目して為されたものであり、柱どうしの間に介装部材を備えていない箇所があっても、上側横架材を取り付ける作業を効率よく行うことができる建造物の躯体の組み立て方法、建造物の躯体の提供を、その目的とする。
【課題を解決するための手段】
【０００５】
本発明は上記課題を解決するためになされたものであり、請求項１の発明は、複数の下側横架材を互いに間隔を開けて備える工程と、前記複数の下側横架材の間に互いに対向するように備えて前記柱を前記下側横架材に固定する工程と、前記複数の柱の上端部の間に上側横架材を備えて固定する工程とを有する建造物の躯体の組み立て方法において、
前記柱の上端部途中で、且つ柱どうしの間に介装部材を互いに対向するように備えて仮固定して、前記互いに対向する介装部材に載置用材を渡設し、前記載置用材に前記複数の上側横架材を載置して、上側横架材の柱に対する固定作業を行い、前記固定作業終了後に前記載置用材を側方へ引き抜いて除去することを特徴とする建造物の躯体の組み立て方法である。
【０００６】
請求項２の発明は、請求項１に記載した建造物の躯体の組み立て方法において、載置用材を除去した後に、介装部材の仮固定を解除して上方へスライドさせ、前記介装部材の上端面を前記上側横架材に当接させて、その状態で介装部材を柱に固定することを特徴とする建造物の躯体の組み立て方法である。
【０００７】
請求項３の発明は、請求項１または２に記載した建造物の躯体の組み立て方法によって製作されたことを特徴とする建造物の躯体である。
【発明の効果】
【０００８】
本発明の建造物の躯体の組み立て方法、建造物の躯体によれば、柱どうしの間に介装部材を備えていない箇所があっても、上側横架材を取り付ける作業を簡単に効率よく行うことができる。
【図面の簡単な説明】
【０００９】
【図１】本発明の実施の形態に係る建造物の躯体の斜視図である。
【図２】図１の建造物の躯体の組み立て方法を説明するための斜視図である。
【図３】図１の建造物の躯体の組み立て方法を説明するための斜視図である。
【図４】図１の建造物の躯体の組み立て方法を説明するための斜視図である。
【図５】図１の建造物の躯体の組み立て方法を説明するための斜視図である。
【図６】図１の建造物の躯体の組み立て方法を説明するための斜視図である。
【図７】図１の建造物の躯体の組み立て方法を説明するための斜視図である。
【図８】図１の建造物の躯体の組み立て工程において介装部材を仮固定した状態を示す図である。
【図９】図８に示した介装部材を仮固定した位置から上方へ移動し本固定した状態を示す図である。
【発明を実施するための形態】
【００１０】
本発明の実施の形態に係る建造物の躯体の組み立て方法によって組み立てられる建造物の躯体１を図面にしたがって説明する。
図１に示すように、躯体１は正四角柱状の角材である下側横架材３、柱５、介装部材７及び上側横架材９を組み合わせてボルトとナットによって連結して構成されている。
下側横架材３、柱５、介装部材７及び上側横架材９は、平面（底面）の４つの辺の長さが全て等しく、４つの角の角度が全て等しい角柱である。以下、この一辺の長さを寸法１Ａといい、更に寸法１Ａの２倍、３倍、４倍の寸法を２Ａ、３Ａ、４Ａで表す。
下側横架材３と上側横架材９は同じ長さ寸法で、柱５は下側横架材３、上側横架材９より長寸法であり、介装部材７は下側横架材３、上側横架材９の約七分の一の長さ寸法となっている。
【００１１】
まず、躯体１の構成について説明する。
以下の説明において、下側横架材３、柱５、介装部材７及び上側横架材９それぞれについて、説明の便宜のため各部材が備えられる位置を示す等の必要に応じて数字の後にａ、ｂ、ｃ…を付して区別するものとする。
下側横架材３は合計１１本あり、互いに平行になるように配置されており、下側横架材３ａ、３ｂが寸法１Ａの間隔を開けて備えられ、更に下側横架材３ｂに対し寸法４Ａ分の間隔を開けて下側横架材３ｃが備えられている。下側横架材３ｃ、３ｄ、３ｅ、３ｆ、３ｇは隣り合うものどうし寸法１Ａの間隔を開けて備えられ、更に下側横架材３ｇに対し寸法４Ａの間隔を開けて下側横架材３ｈが備えられている。下側横架材３ｈに対し寸法１Ａの間隔を開けて下側横架材３ｉが備えられている。
【００１２】
下側横架材３ａ、３ｂの間の隙間には柱５ａ、５ｂが備えられ、柱５ａ、５ｂの下端部が下側横架材３ａ、３ｂに挟持されている。柱５ａ、５ｂは下側横架材３ａ、３ｂの左右の端面からそれぞれ寸法１Ａ分寄った位置に備えられている。
これと同様に、下側横架材３ｃ、３ｄの間の隙間には柱５ｃ、５ｄの下端部が、下側横架材３ｄ、３ｅの間の隙間には柱５ｅ、５ｆの下端部が、下側横架材３ｅ、３ｆの間の隙間には柱５ｇ、５ｈの下端部が、下側横架材３ｆ、３ｇの間の隙間には柱５ｉ、５ｊの下端部が、下側横架材３ｈ、３ｉの間の隙間には柱５ｋ、５ｌの下端部が備えられている(図２参照)。
【００１３】
下側横架材３ａ、３ｂの間の隙間の中央部には、柱５ｍ、５ｎ、５ｏ、５ｐが隣り合うものとの間に寸法１Ａの隙間を開けて備えられている。また、下側横架材３ｈ、３ｉの間の隙間の中央部には、柱５ｑ、５ｒ、５ｓ、５ｔが隣り合うものとの間に寸法１Ａの隙間を開けて備えられている。
柱５ｍ、５ｎの間の隙間と柱５ｑ、５ｒの間の隙間には、下側横架材３ｊが備えられ、柱５ｏ、５ｐの間の隙間と柱５ｓ、５ｔの間の隙間には、下側横架材３ｋが備えられている。下側横架材３ｊ、３ｋは下側横架材３ａ、３ｂ、３ｃ、３ｄ、３ｅ、３ｆ、３ｇ、３ｈ、３ｉに直行し、且つこれらのものに設置されている。
【００１４】
柱５ｃ、５ｅの間の隙間には介装部材７ａ、７ｂが備えられており、介装部材７ａは下側横架材３ｄに設置され、介装部材７ｂは柱５ｃ、５ｅの上端面から寸法２Ａ分下がった位置に備えられている。柱５ｇ、５ｉの間の隙間には介装部材７ｃ、７ｄが備えられており、介装部材７ｃは下側横架材３ｆに設置され、介装部材７ｄは柱５ｇ、５ｉの上端面から寸法２Ａ分下がった位置に備えられている。
【００１５】
これと同様に柱５ｄ、５ｆの間の隙間、柱５ｈ、５ｊの間の隙間にも介装部材７が備えられている（図では介装部材７ａ、７ｃに対向して配置される介装部材７は見えない位置となっている。）介装部材７ｂ、７ｄに対向する位置には介装部材７ｆ、７ｇが備えられている。
【００１６】
柱５ｑ、５ｒの間の隙間には介装部材７ｈ、７ｉが備えられており、介装部材７ｈは下側横架材３ｊに設置され、介装部材７ｉは柱５ｑ、５ｒの上端面から寸法２Ａ分下がった位置に備えられている。柱５ｓ、５ｔの間の隙間には介装部材７ｊ、７ｋが備えられており、介装部材７ｊは下側横架材３ｋに設置され、介装部材７ｋは柱５ｓ、５ｔの上端面から寸法２Ａ分下がった位置に備えられている。
これと同様に柱５ｍ、５ｎの間の隙間、柱５ｏ、５ｐの間の隙間にも介装部材７が備えられている（図では介装部材７ｈ、７ｊに対向して配置される介装部材７は見えない位置となっている。）介装部材７ｉ、７ｋに対向する位置には介装部材７ｌ、７ｍが備えられている。
【００１７】
下側横架材３ａ、３ｂ、３ｃ、３ｄ、３ｅ、３ｆ、３ｇ、３ｈ、３ｉに対向して上側横架材９ａ、９ｂ、９ｃ、９ｄ、９ｅ、９ｆ、９ｇ、９ｈ、９ｉが備えられている。
すなわち、上側横架材９ａ、９ｂの間の隙間に柱５ａ、５ｂが、上側横架材９ｃ、９ｄの間に柱５ｃ、５ｄが、上側横架材９ｄ、９ｅの間の隙間に柱５ｅ、５ｆが、上側横架材９ｅ、９ｆの間の隙間に柱５ｇ、５ｈが、上側横架材９ｆ、９ｇの間の隙間に柱５ｉ、５ｊが、上側横架材９ｈ、９ｉの間の隙間に柱５ｋ、５ｌがそれぞれ備えられている。柱５ａ、５ｂ、５ｃ、５ｄ、５ｅ、５ｆ、５ｇ、５ｈ、５ｉ、５ｊ、５ｋ、５ｌは上側横架材９ａ、９ｂ、９ｃ、９ｄ、９ｅ、９ｆ、９ｇ、９ｈ、９ｉより寸法１Ａ分突出している。すなわち、上側横架材９ａ、９ｂ、９ｃ、９ｄ、９ｅ、９ｆ、９ｇ、９ｈ、９ｉは柱５ａ、５ｂ、５ｃ、５ｄ、５ｅ、５ｆ、５ｇ、５ｈ、５ｉ、５ｊの上端面から寸法１Ａ分下がった位置に備えられている。
【００１８】
上側横架材９ｊ、９ｋ、９ｌ、９ｍ、９ｎ、９ｏ、９ｐ、９ｑ、９ｒは上側横架材９ａ、９ｂ、９ｃ、９ｄ、９ｅ、９ｆ、９ｇ、９ｈ、９ｉに直行し、且つ設置されている。
上側横架材９ｊ、９ｋの間の隙間には柱５ａ、５ｃ、５ｅ、５ｇ、５ｉ、５ｋの上端部が、上側横架材９ｌ、９ｍの間の隙間には柱５ｍ、５ｑの上端部が、上側横架材９ｍ、９ｎの間の隙間には柱５ｎ、５ｒの上端部が、上側横架材９ｎ、９ｏの間の隙間には柱５ｏ、５ｓの上端部が、上側横架材９ｏ、９ｐの間の隙間には柱５ｐ、５ｔの上端部がそれぞれ備えられている。
上側横架材９ｑ、９ｒの間の隙間には柱５ｂ、５ｄ、５ｆ、５ｈ、５ｊ、５ｌの上端部が備えられている。
【００１９】
次に、図１に示した躯体１の組み立て方法を説明する。
図２に示すように、下側横架材３ａ、３ｂ、３ｃ、３ｄ、３ｅ、３ｆ、３ｇ、３ｈ、３ｉ、３ｊ、３ｋと柱５ａ、５ｂ、５ｃ、５ｄ、５ｅ、５ｆ、５ｇ、５ｈ、５ｉ、５ｊ、５ｋ、５ｌ、５ｍ、５ｎ、５ｏ、５ｐ、５ｑ、５ｒ、５ｓ、５ｔと介装部材７ａ、７ｂ、７ｃ、７ｄ、７ｆ、７ｇ、７ｈ、７ｉ、７ｊ、７ｋ、７ｌ、７ｍ、介装部材７ａ、７ｃ、７ｈ、７ｊに対向して配置される介装部材７を組み付ける。
次いで、図３に示すように、載置用部材１１ａを介装部材７ｉ、７ｌ間に渡設し、載置用部材１１ｂを介装部材７ｋ、７ｍ間に渡設する。このとき、介装部材７ｉ、７ｌ、７ｋ、７ｍの上面は柱５ｍ、５ｎ、５ｏ、５ｐ、５ｑ、５ｒ、５ｓ、５ｔの上端面から寸法３Ａ分下がった位置に備えられている（図８参照）。従って、載置用部材１１ａ、１１ｂの上面は柱５ｍ、５ｎ、５ｏ、５ｐ、５ｑ、５ｒ、５ｓ、５ｔから寸法２Ａ分下がった位置に備えられることになる。
【００２０】
そして、図４に示すように、上側横架材９ａ、９ｂ、９ｃ、９ｄ、９ｅ、９ｆ、９ｇ、９ｈ、９ｉをまとめて載置用部材１１ａ、１１ｂに載せ、その状態でスライドさせるようにして所定位置に移動する。
次いで、図５に示すように、上側横架材９ａ、９ｂ、９ｃ、９ｄ、９ｅ、９ｆ、９ｇ、９ｈ、９ｉにボルトとナットを用いて柱５ａ、５ｂ、５ｃ、５ｄ、５ｅ、５ｆ、５ｇ、５ｈ、５ｉ、５ｊ、５ｋ、５ｌ、５ｍ、５ｎ、５ｏ、５ｐ、５ｑ、５ｒ、５ｓ、５ｔにそれぞれ固定する。
従って、特に柱どうしの間に介装部材を備えておらず、介装部材によって支持されない箇所に備えられる上側横架材９ａ、９ｂ、９ｃ、９ｄ、９ｅ、９ｆ、９ｇ、９ｈ、９ｉを取り付ける柱５ａ、５ｂ、５ｃ、５ｄ、５ｅ、５ｆ、５ｇ、５ｈ、５ｉ、５ｊ、５ｋ、５ｌ、５ｍ、５ｎ、５ｏ、５ｐ、５ｑ、５ｒ、５ｓ、５ｔに取り付ける作業を効率よく行うことができる。
【００２１】
次に、上側横架材９ｊ、９ｋ、９ｌ、９ｍ、９ｎ、９ｏ、９ｐ、９ｑ、９ｒを上側横架材９ａ、９ｂ、９ｃ、９ｄ、９ｅ、９ｆ、９ｇ、９ｈ、９ｉに交差するように載置して固定する。
そして、載置用部材１１ａ、１１ｂを固定しているボルトＢとナットＮを外して図６において実線で示す状態から仮想線で示すように引き抜くようにして外す。
載置用部材１１ａ、１１ｂを外すと、図７、図８に示すように、介装部材７ｉ（７ｍ）、７ｋ（７ｌ）と横架材９ｉ（９ａ）との間に寸法１Ａ分の隙間が開くことになる。
【００２２】
介装部材７ｉ（７ｍ）を柱５ｑ（５ｐ）、５ｒ（５ｏ）に固定しているボルトＢ、ナットＮと、介装部材７ｋ（７ｌ）を柱５ｓ（５ｎ）、５ｔ（５ｍ）に固定しているボルトＢ、ナットＮを外し、介装部材７ｉ（７ｍ）、７ｋ（７ｌ）を寸法１Ａ分上方へスライドさせて、介装部材７ｉ（７ｍ）、７ｋ（７ｌ）の上面を上側横架材９ｉ（９ａ）の下面に当接させる。そして、介装部材７ｉ（７ｍ）、７ｋ（７ｌ）を上側横架材９ｉ（９ａ）にボルトＢ、ナットＮによって再度固定する（図９参照）。
【００２３】
このように、載置用部材１１ａ、１１ｂを除去するので、建造物の天井が低くなってしまうことはない。
また、介装部材７ｉ（７ｍ）、７ｋ（７ｌ）の上面を上側横架材９ｉ（９ａ）の下面に当接させて固定するので、躯体１の強度を大きくすることができる。
【００２４】
以上、本発明の実施の形態について詳述してきたが、具体的構成は、この実施の形態に限られるものではなく、本発明の要旨を逸脱しない範囲における設計の変更などがあっても発明に含まれる。
例えば、柱、下側横架材、介装部材及び上側横架材の数は、任意に設定できることは言うまでもない。
【産業上の利用可能性】
【００２５】
本発明は建築業において利用可能性を有する。
【符号の説明】
【００２６】
１…建造物の躯体
３、３ａ、３ｂ、３ｃ、３ｄ、３ｅ、３ｆ、３ｇ、３ｈ、３ｉ、３ｊ、３ｋ…下側横架材
５、５ａ、５ｂ、５ｃ、５ｄ、５ｅ、５ｆ、５ｇ、５ｈ、５ｉ、５ｊ、５ｋ、５ｌ、５ｍ、５ｎ、５ｏ、５ｐ、５ｑ、５ｒ、５ｓ、５ｔ…柱
７、７ａ、７ｂ、７ｃ、７ｄ、７ｆ、７ｇ、７ｈ、７ｉ、７ｊ、７ｋ、７ｌ、７ｍ…介装部材
９、９ａ、９ｂ、９ｃ、９ｄ、９ｅ、９ｆ、９ｇ、９ｈ、９ｉ、９ｊ、９ｋ、９ｌ、９ｍ、９ｎ、９ｏ、９ｐ、９ｑ、９ｒ…上側横架材
１１ａ、１１ｂ…載置用部材
Ｂ…ボルト      Ｎ…ナット
【図１】
0006396836.tif 000002
【図２】
0006396836.tif 000003
【図３】
0006396836.tif 000004
【図４】
0006396836.tif 000005
【図５】
0006396836.tif 000006
【図６】
0006396836.tif 000007
【図７】
0006396836.tif 000008
【図８】
0006396836.tif 000009
【図９】
0006396836.tif 000010